(57)【要約】【課題】光学特性を変化させる場合に応答速度の速い面状発光体を提供する。【解決手段】面状発光体１００は、有機エレクトロルミネッセンス素子で構成される面状発光部１０と、光散乱性の程度が変化可能な光散乱可変部２０と、光学調整可能な光学調整部７０とを備えている。面状発光体１００は、面状発光部１０からの光を取り出すように構成された第１面Ｆ１と、第１面Ｆ１とは反対側に配置された第２面Ｆ２とを有する。光散乱可変部２０と面状発光部１０と光学調整部７０とは、第１面Ｆ１と第２面Ｆ２との間において厚み方向に配置されている。光学調整部７０は、第１ワイヤグリッド素子７１ａと、第２ワイヤグリッド素子７１ｂとを有し、第１ワイヤグリッド素子７１ａ及び第２ワイヤグリッド素子７１ｂが相対的に移動することが可能なように構成されている。光学調整部７０は、面状発光部１０及び光散乱可変部２０よりも第２面Ｆ２側に配置されている。【選択図】図１
2017157268.tif 000002
【特許請求の範囲】
【請求項１】
光透過性を有する有機エレクトロルミネッセンス素子で構成される面状発光部と、光散乱性の程度が変化可能な光散乱可変部と、光学調整可能な光学調整部と、
を備え、
前記面状発光部からの光を取り出すように構成された第１面と、前記第１面とは反対側に配置された第２面とを有し、
前記光散乱可変部と前記面状発光部と前記光学調整部とは、前記第１面と前記第２面との間において厚み方向に配置され、
前記光学調整部は、光透過性を有する第１基材に光吸収性を有する第１線を複数平行に設けて形成された第１ワイヤグリッド素子と、光透過性を有する第２基材に光吸収性を有する第２線を複数平行に設けて形成された第２ワイヤグリッド素子とを有し、前記第１線と前記第２線とが略平行となるように前記第１ワイヤグリッド素子と前記第２ワイヤグリッド素子とが配置され、かつ、前記第１線及び前記第２線に対して略垂直な方向に前記第１ワイヤグリッド素子及び前記第２ワイヤグリッド素子が相対的に移動することが可能なように構成され、
前記光学調整部は、前記面状発光部及び前記光散乱可変部よりも前記第２面側に配置されている、
面状発光体。
【請求項２】
前記光学調整部は、光吸収性の程度を変化させることが可能なように構成されている、
請求項１に記載の面状発光体。
【請求項３】
光透過性を有する有機エレクトロルミネッセンス素子で構成される面状発光部と、光散乱性の程度が変化可能な光散乱可変部と、光学調整可能な第１光学調整部及び第２光学調整部と、
を備え、
前記面状発光部からの光を取り出すように構成された第１面と、前記第１面とは反対側に配置された第２面とを有し、
前記光散乱可変部と前記面状発光部と前記第１光学調整部と前記第２光学調整部とは、前記第１面と前記第２面との間において厚み方向に配置され、
前記第１光学調整部は、光透過性を有する第１基材に光反射性を有する第１線を複数平行に設けて形成された第１ワイヤグリッド素子と、光透過性を有する第２基材に光反射性を有する第２線を複数平行に設けて形成された第２ワイヤグリッド素子とを有し、前記第１線と前記第２線とが略平行となるように前記第１ワイヤグリッド素子と前記第２ワイヤグリッド素子とが配置され、かつ、前記第１線及び前記第２線に対して略垂直な方向に前記第１ワイヤグリッド素子及び前記第２ワイヤグリッド素子が相対的に移動することが可能なように構成され、
前記第２光学調整部は、光透過性を有する第３基材に光反射性を有する第３線を複数平行に設けて形成された第３ワイヤグリッド素子と、光透過性を有する第４基材に光反射性を有する第４線を複数平行に設けて形成された第４ワイヤグリッド素子とを有し、前記第３線と前記第４線とが略平行となるように前記第３ワイヤグリッド素子と前記第４ワイヤグリッド素子とが配置され、かつ、前記第３線及び前記第４線に対して略垂直な方向に前記第３ワイヤグリッド素子及び前記第４ワイヤグリッド素子が相対的に移動することが可能なように構成され、
前記第１光学調整部及び前記第２光学調整部は、前記第１線及び前記第２線と前記第３線及び前記第４線とが略直交するように配置され、かつ、前記面状発光部及び前記光散乱可変部よりも前記第２面側に配置されている、
面状発光体。
【請求項４】
前記光学調整部は、光反射性の程度を変化させることが可能なように構成されている、
請求項３に記載の面状発光体。
【請求項５】
請求項１〜４のいずれか１項に記載の面状発光体を備えた照明装置。
【請求項６】
請求項１〜４のいずれか１項に記載の面状発光体を備えた建材。
【発明の詳細な説明】
【技術分野】
【０００１】
本発明は、面状発光体、それを用いた照明装置及び建材に関する。より詳しくは、有機エレクトロルミネッセンス素子を利用した面状発光体、照明装置及び建材に関する。
【背景技術】
【０００２】
近年、有機エレクトロルミネッセンス素子（以下「有機ＥＬ素子」ともいう）が照明パネルなどの用途に応用されている。有機ＥＬ素子としては、対となる二つの電極と、これらの電極の間に配置され発光層を含む一又は複数の層により構成される有機発光層とを有するものが知られている。対となる電極のうちの一方が陽極として機能し、他方が陰極として機能する。有機ＥＬ素子では、陽極と陰極の間に電流を流すことによって、発光層で発した光が光透過性の電極を通して外部に取り出される。
【０００３】
有機ＥＬ素子は、厚みが薄く、面状に発光するため、面状発光体として利用される。有機ＥＬ素子を備えた面状発光体は、次世代照明として期待されている。そのため、発光特性を向上する種々の提案がなされている。
【０００４】
特許文献１には、光の進行方向を変化させる光学層を有する有機ＥＬ素子が開示されている。光学層を設けることで、光学的な特性を変化させることのできる有機ＥＬ素子が得られている。光学的な特性が変化すると、これまでにない照明装置を構築することも可能である。
【先行技術文献】
【特許文献】
【０００５】
【特許文献１】特開２０１３−２０１００９号公報
【発明の概要】
【発明が解決しようとする課題】
【０００６】
しかし、照明装置が有機発光層と光学調整層とを備える場合において、光学調整層にエレクトロクロミック層が用いられていると、エレクトロクロミック現象は酸化還元反応に起因するため調光に時間がかかり、光学的な特性の変化が遅くなる。
【０００７】
本発明は、上記の事情に鑑みてなされたものであり、光学特性を変化させる場合に応答速度の速い面状発光体を提供することを目的とするものである。
【課題を解決するための手段】
【０００８】
本発明に係る面状発光体は、光透過性を有する有機エレクトロルミネッセンス素子で構成される面状発光部と、光散乱性の程度が変化可能な光散乱可変部と、光学調整可能な光学調整部と、を備えている。前記面状発光部からの光を取り出すように構成された第１面と、前記第１面とは反対側に配置された第２面とを有している。前記光散乱可変部と前記面状発光部と前記光学調整部とは、前記第１面と前記第２面との間において厚み方向に配置されている。前記光学調整部は、光透過性を有する第１基材に光吸収性を有する第１線を複数平行に設けて形成された第１ワイヤグリッド素子と、光透過性を有する第２基材に光吸収性を有する第２線を複数平行に設けて形成された第２ワイヤグリッド素子とを有し、前記第１線と前記第２線とが略平行となるように前記第１ワイヤグリッド素子と前記第２ワイヤグリッド素子とが配置され、かつ、前記第１線及び前記第２線に対して略垂直な方向に前記第１ワイヤグリッド素子及び前記第２ワイヤグリッド素子が相対的に移動することが可能なように構成されている。前記光学調整部は、前記面状発光部及び前記光散乱可変部よりも前記第２面側に配置されている。
【０００９】
好ましい一態様では、前記光学調整部は、光吸収性の程度を変化させることが可能なように構成されている。
【００１０】
本発明に係る面状発光体は、光透過性を有する有機エレクトロルミネッセンス素子で構成される面状発光部と、光散乱性の程度が変化可能な光散乱可変部と、光学調整可能な第１光学調整部及び第２光学調整部と、を備えている。前記面状発光部からの光を取り出すように構成された第１面と、前記第１面とは反対側に配置された第２面とを有している。前記光散乱可変部と前記面状発光部と前記第１光学調整部と前記第２光学調整部とは、前記第１面と前記第２面との間において厚み方向に配置されている。前記第１光学調整部は、光透過性を有する第１基材に光反射性を有する第１線を複数平行に設けて形成された第１ワイヤグリッド素子と、光透過性を有する第２基材に光反射性を有する第２線を複数平行に設けて形成された第２ワイヤグリッド素子とを有し、前記第１線と前記第２線とが略平行となるように前記第１ワイヤグリッド素子と前記第２ワイヤグリッド素子とが配置され、かつ、前記第１線及び前記第２線に対して略垂直な方向に前記第１ワイヤグリッド素子及び前記第２ワイヤグリッド素子が相対的に移動することが可能なように構成されている。前記第２光学調整部は、光透過性を有する第３基材に光反射性を有する第３線を複数平行に設けて形成された第３ワイヤグリッド素子と、光透過性を有する第４基材に光反射性を有する第４線を複数平行に設けて形成された第４ワイヤグリッド素子とを有し、前記第３線と前記第４線とが略平行となるように前記第３ワイヤグリッド素子と前記第４ワイヤグリッド素子とが配置され、かつ、前記第３線及び前記第４線に対して略垂直な方向に前記第３ワイヤグリッド素子及び前記第４ワイヤグリッド素子が相対的に移動することが可能なように構成されている。前記第１光学調整部及び前記第２光学調整部は、前記第１線及び前記第２線と前記第３線及び前記第４線とが略直交するように配置され、かつ、前記面状発光部及び前記光散乱可変部よりも前記第２面側に配置されている。
【００１１】
好ましい一態様では、前記光学調整部は、光反射性の程度を変化させることが可能なように構成されている。
【００１２】
本発明に係る照明装置は、前記面状発光体を備える。
【００１３】
本発明に係る建材は、前記面状発光体を備える。
【発明の効果】
【００１４】
本発明によれば、面状発光部、光散乱可変部及び光学調整部を有することにより、光学的に異なる状態を作り出すことができる。また、光学調整部における２枚のワイヤグリッド素子が相対的に機械的に移動することにより、光学調整部による光学調整を速く行うことができる。その結果、光学特性を変化させる際の応答速度が速い面状発光体を得ることができる。
【図面の簡単な説明】
【００１５】
【図１】実施形態１の面状発光体を示す模式的な断面図である。
【図２】実施形態１の光学調整部を示す模式的な平面図である。
【図３】図３は、図３Ａ〜図３Ｃから構成される。図３Ａは、光学調整部の光透過性が最も高く、光吸収性がほとんど機能していない状態を示す。図３Ｂは、光学調整部が光透過性を有しつつ、光吸収性が機能している状態を示す。図３Ｃは、光学調整部の光透過性が最も低く、光吸収性が最もよく機能している状態を示す。
【図４】図４は、図４Ａ〜図４Ｄから構成される。図４は、面状発光体の各部の機能の発揮状態を示す模式図である。図４Ａは、発光している状態を示す。図４Ｂは、光吸収性が機能している状態を示す。図４Ｃは、光散乱性が機能している状態を示す。図４Ｄは、光散乱性及び光吸収性が機能し、発光している状態を示す。
【図５】実施形態２の面状発光体を示す模式的な断面図である。
【図６】実施形態２の第１光学調整部及び第２光学調整部を示す模式的な平面図である。
【図７】図７は、図７Ａ〜図７Ｃから構成される。図７Ａは、第１光学調整部又は第２光学調整部の光透過性が最も高く、光反射性がほとんど機能していない状態を示す。図７Ｂは、第１光学調整部又は第２光学調整部がＰ波又はＳ波の一方について光透過性を有しつつ、Ｐ波又はＳ波の他方について光反射性が機能している状態を示す。図７Ｃは、第１光学調整部又は第２光学調整部の光透過性が最も低く、光反射性が最もよく機能している状態を示す。
【図８】図８は、図８Ａ〜図８Ｄから構成される。図８は、面状発光体の各部の機能の発揮状態を示す模式図である。図８Ａは、発光している状態を示す。図８Ｂは、光反射性が機能し、発光している状態を示す。図８Ｃは、光反射性が機能している状態を示す。図８Ｄは、光散乱性及び光反射性が機能している状態を示す。
【図９】図９は、図９Ａ〜図９Ｃにより構成される。図９Ａ〜図９Ｃは、照明装置の一例を示す概略斜視図である。
【図１０】面状発光体を用いた窓の一例を示す概略斜視図である。
【発明を実施するための形態】
【００１６】
実施形態１の面状発光体１００は、面状発光部１０と、光散乱可変部２０と、光学調整部７０とを備えている。面状発光部１０は、光透過性を有する有機エレクトロルミネッセンス素子（有機ＥＬ素子）で構成される。光散乱可変部２０は、光散乱性の程度が調整可能である。光学調整部７０は、光学調整が可能である。面状発光体１００は、面状発光部１０からの光を取り出すように構成された第１面Ｆ１と、第１面Ｆ１とは反対側に配置された第２面Ｆ２とを有している。光散乱可変部２０、面状発光部１０、及び光学調整部７０は、第１面Ｆ１と第２面Ｆ２との間において厚み方向に配置されている。光学調整部７０は、光透過性を有する第１基材７２ａに光吸収性を有する第１線７３ａを複数平行に設けて形成された第１ワイヤグリッド素子７１ａと、光透過性を有する第２基材７２ｂに光吸収性を有する第２線７３ｂを複数平行に設けて形成された第２ワイヤグリッド素子７１ｂとを有し、第１線７３ａと第２線７３ｂとが略平行となるように第１ワイヤグリッド素子７１ａと第２ワイヤグリッド素子７１ｂとが配置され、かつ、第１線７３ａ及び第２線７３ｂに対して略垂直な方向に第１ワイヤグリッド素子７１ａ及び第２ワイヤグリッド素子７１ｂが相対的に移動することが可能なように構成されている。光学調整部７０は、面状発光部１０及び光散乱可変部２０よりも第２面Ｆ２側に配置されている。
【００１７】
実施形態１の面状発光体１００においては、面状発光部１０、光散乱可変部２０及び光学調整部７０を有することにより、光学的に異なる状態を作り出すことができる。また、第１ワイヤグリッド素子７１ａ及び第２ワイヤグリッド素子７１ｂが相対的に機械的に移動することにより、光学調整部７０による光学調整を速く行うことができる。その結果、光学特性を変化させる際の応答速度が速い面状発光体１００を得ることができる。
【００１８】
実施形態２の面状発光体１００は、面状発光部１０と、光散乱可変部２０と、第１光学調整部７０ａ及び第２光学調整部７０ｂとを備えている。面状発光部１０は、光透過性を有する有機エレクトロルミネッセンス素子（有機ＥＬ素子）で構成される。光散乱可変部２０は、光散乱性の程度が調整可能である。第１光学調整部７０ａ及び第２光学調整部７０ｂは、光学調整が可能である。面状発光体１００は、面状発光部１０からの光を取り出すように構成された第１面Ｆ１と、第１面Ｆ１とは反対側に配置された第２面Ｆ２とを有している。光散乱可変部２０、面状発光部１０、第１光学調整部７０ａ及び第２光学調整部７０ｂは、第１面Ｆ１と第２面Ｆ２との間において厚み方向に配置されている。第１光学調整部７０ａは、光透過性を有する第１基材７２ａに光反射性を有する第１線７４ａを複数平行に設けて形成された第１ワイヤグリッド素子７１ａと、光透過性を有する第２基材７２ｂに光反射性を有する第２線７４ｂを複数平行に設けて形成された第２ワイヤグリッド素子７１ｂとを有し、第１線７４ａと第２線７４ｂとが略平行となるように第１ワイヤグリッド素子７１ａと第２ワイヤグリッド素子７１ｂとが配置され、かつ、第１線７４ａ及び第２線７４ｂに対して略垂直な方向に第１ワイヤグリッド素子７１ａ及び第２ワイヤグリッド素子７１ｂが相対的に移動することが可能なように構成されている。第２光学調整部７０ｂは、光透過性を有する第３基材７２ｃに光反射性を有する第３線７４ｃを複数平行に設けて形成された第３ワイヤグリッド素子７１ｃと、光透過性を有する第４基材７２ｄに光反射性を有する第４線７４ｄを複数平行に設けて形成された第４ワイヤグリッド素子７１ｄとを有し、第３線７４ｃと第４線７４ｄとが略平行となるように第３ワイヤグリッド素子７１ｃと第４ワイヤグリッド素子７１ｄとが配置され、かつ、第３線７４ｃ及び第４線７４ｄに対して略垂直な方向に第３ワイヤグリッド素子７１ｃ及び第４ワイヤグリッド素子７１ｄが相対的に移動することが可能なように構成されている。第１光学調整部７０ａ及び第２光学調整部７０ｂは、第１線７４ａ及び第２線７４ｂと第３線７４ｃ及び第４線７４ｄとが略直交するように配置され、かつ、面状発光部１０及び光散乱可変部２０よりも第２面Ｆ２側に配置されている。
【００１９】
実施形態２の面状発光体１００においては、面状発光部１０、光散乱可変部２０、第１光学調整部７０ａ及び第２光学調整部７０ｂを有することにより、光学的に異なる状態を作り出すことができる。また、第１ワイヤグリッド素子７１ａ及び第２ワイヤグリッド素子７１ｂが相対的に機械的に移動し、第３ワイヤグリッド素子７１ｃ及び第４ワイヤグリッド素子７１ｄが相対的に機械的に移動することにより、光学調整部７０による光学調整を速く行うことができる。その結果、光学特性を変化させる際の応答速度が速い面状発光体１００を得ることができる。
【００２０】
図１〜図４は実施形態１を示し、図５〜図８は実施形態２を示している。まず、実施形態１、２の共通部分について説明し、適宜、実施形態１、２に特有な部分について説明する。共通部分については、理解しやすいよう、各図を参照してよく、例えば、図１を参照してよい。各実施形態は、代表例を示しているものであり、本発明は図１〜図８に示される実施形態に限定されるものではない。各図は面状発光体１００を理解しやすいように模式的に図示しているものであり、面状発光体１００の実際の寸法関係等は図面と異なるものであってよい。特に断りのない限り、各図において、同じ符号を付した構成は同じものを指し、その符号の構成に関して行った説明は、他の実施形態においても適用可能である。
【００２１】
図１は、面状発光体１００の一例である。図１の例は、本発明の具現化された一例であり、本発明はこれに限定されない。図１及び他の図においては、面状発光体１００及びその中の各構成が、模式的に図示されており、これらの実際の寸法関係等は図面と異なるものであってよい。また、特に断りのない限り、複数の図において、同じ符号番号を付した構成は同様の構成を指し、その符号番号の構成に関して行った説明は、共通して適用可能である。
【００２２】
面状発光体１００は、面状に発光する。発光面は、平面及び曲面を含む。発光面は平面のみで構成されていてもよい。あるいは、発光面は曲面のみで構成されていてもよい。例えば、発光面は円弧状の面となり得る。あるいは、発光面は平面と曲面との両方を含んでいてもよい。
【００２３】
面状発光体１００は、電極５を複数有している。複数の電極５は光透過性を有する。それにより、光学特性の高い面状発光体１００を得ることができる。電極５は、面状発光体１００を駆動させるための電極として機能する。面状発光体１００は、全体として透明である状態を発揮し得る。
【００２４】
電極５は、透明な導電層によって構成することができる。透明導電層の材料としては、透明金属酸化物、導電性粒子含有樹脂、金属薄膜などを用いることができる。電極５は、各部において好適化された導電性材料が用いられ得る。光透過性を有する電極５の材料の好ましいものとして、ＩＴＯ、ＩＺＯなどの透明金属酸化物が例示される。透明金属酸化物によって構成される電極５は、面状発光部１０の電極５に用いることが好適である。また、電極５は、銀ナノワイヤを含有する層や薄膜銀などの透明金属層であってもよい。また、電極５は、透明金属酸化物の層と金属層とが積層されたものであってもよい。また、電極５は、透明導電層に補助配線が設けられたものであってもよい。電極５は遮熱効果を有していてもよい。それにより、断熱性が高まり得る。
【００２５】
複数の電極５は、電源との電気接続が可能なように構成されていてよい。面状発光体１００は、電源に接続するために、電極パッドや、電極パッドを電気回路的に集約した電気接続部などを有していてよい。電気接続部はプラグなどにより構成されていてもよい。
【００２６】
電極５は、配線により電源に接続される。電源として外部電源が用いられる場合には、面状発光体１００は、配線の途中までの部分（プラグ等までの部分）により構成されるものであってよい。電源が内部電源である場合には、面状発光体１００は電源を含んだものであってもよい。
【００２７】
面状発光体１００は、基板６を複数有していることが好ましい。複数の基板６は光透過性を有する。それにより、光学特性の高い面状発光体１００を得ることができる。基板６は、面状発光体１００の各層を支持するための基板として機能し得る。基板６は、面状発光体１００の各層を封止するための基板として機能し得る。複数の基板６は厚み方向に配置されている。
【００２８】
面状発光体１００は、複数の基板６のうち、外側に配置される二つの基板６の間に、面状発光部１０と光散乱可変部２０と光学調整部７０（図２では第１光学調整部７０ａ及び第２光学調整部７０ｂ）とが配置されたものであることが好ましい。それにより、各部を基板６で保護することができる。面状発光体１００の両側の表面には、基板６が配置されることが好ましい。対向する二つの基板６は、厚み方向の端部の基板６となる。面状発光体１００は、厚み方向の端部に配置された対向する二つの基板６間に、他の基板６を一又は複数有していてもよい。
【００２９】
ここで、「厚み方向」とは、特に断りのない限り、面状発光体１００の厚みの方向を意味する。図１では、厚み方向がＤ１で示されている。厚み方向とは、基板６の表面に垂直な方向であってよい。図１において、面状発光体１００の各層は厚み方向に垂直な方向に広がっていると考えることができる。各図においては、面方向は、厚み方向に垂直な方向といってよい。
【００３０】
複数の基板６は、端部において接着されている。接着は接着剤によって行われている。接着剤から接着部７が形成されている。隣り合う基板６の間には厚み方向に隙間が設けられている。面状発光体１００の各部を構成する層は、それらの基板６の隙間に配置されている。隣り合う基板６の間の隙間は接着部７がスペーサとなって設けられている。接着部７は、防湿性を有することが好ましい。それにより、面状発光体１００の劣化を抑制することができる。
【００３１】
接着部７の材料としては、樹脂を用いることができる。樹脂としては、熱硬化性樹脂、紫外線硬化性樹脂などを用いることが好ましい。接着部７には、粒子などのスペーサ材が含まれていてもよい。それにより、基板６間の隙間の厚みを確保することができる。
【００３２】
基板６として、ガラス基板、樹脂基板などを用いることができる。基板６をガラス基板で構成した場合、ガラスは透明性が高いため、光学特性の優れた面状発光体１００を得ることができる。また、ガラスは水分の透過性が低いので、封止領域の内部に水分が浸入することを抑制することができる。基板６として薄膜ガラスを用いることができる。その場合、高透明性と高防湿性に加えて、フレキシブルな面状発光体１００を得ることが可能である。また、基板６として樹脂基板を用いた場合、樹脂は破断しにくいために、破壊時の飛散が抑制された安全な面状発光体１００を得ることができる。また、樹脂基板を用いた場合、フレキシブルな面状発光体１００を得ることが可能である。さらに、樹脂の屈折率が面状発光部１０、光散乱可変部２０及び光学調整部７０（図２では第１光学調整部７０ａ及び第２光学調整部７０ｂ）と同等の屈折率である場合に、基板界面での反射を抑制することができるため、透明性を向上させることができる。
【００３３】
複数の基板６のうち、外側に配置される二つの基板６はガラス基板であることが好ましい。それにより、光学特性の優れた面状発光体１００を得ることができる。複数の基板６の全てが、ガラス基板であってもよい。その場合、光学的な条件を制御しやすくなり、光学特性を高めることができる。内側の基板６のいずれか一つ以上が、樹脂基板であってもよい。その場合、破壊時の飛散を抑制することができ、安全な面状発光体１００を得ることができる。基板６の表面は防汚材料によって被覆されていてもよい。その場合、基板６表面の汚染を低減することができる。防汚材料の被覆は、外側に配置される基板６の外部側表面に行われていることが好ましい。基板６は紫外線反射または紫外線吸収材料によって被覆されていてもよい。その場合、構成材料の劣化を防ぐことができる。また、基板６が樹脂基板である場合、その表面が防湿材料によって被覆されていてもよい。その場合、封止性能を高めることができる。
【００３４】
複数の基板６は、図１では、第１面Ｆ１側から、基板６ａ、基板６ｂ、基板６ｃ、基板６ｄと符号付けされている。もちろん、この符号付けは、説明のための便宜的なものである。
【００３５】
図１の例では、面状発光体１００の厚み方向の両端部に配置される基板６は、基板６ａと、基板６ｄである。その他の基板６は、内部の基板６となる。基板６ｂは、光散乱可変部２０を支持又は封止する基板６と、面状発光部１０を支持又は封止する基板６とを兼ねている。基板６ｃは、面状発光部１０を支持又は封止する基板６と、光学調整部７０（図５では第１光学調整部７０ａ及び第２光学調整部７０ｂ）を支持又は封止する基板６とを兼ねている。このように、基板６が隣り合う部で兼ねられると、各部の間に空隙が設けられないようにできる。空隙は層状の隙間である。空隙がないと、光が反射されたり屈折されたりし得る界面の数を減らすことができるため、面状発光部１０からの光をより多く取り出すことができる。また、空隙が存在すると、光の干渉によって光取り出し性が低下する場合があるが、空隙がないと、光の干渉を抑制して、光取り出し性を向上することができる。なお、内部の基板６は、分割されていてもよい。例えば、基板６ｂでは、光散乱可変部２０側に配置される基板６と、面状発光部１０側に配置される基板６とに分けられてもよい。その場合、光散乱可変部２０の形成と、面状発光部１０の形成とを独立して行うことが可能になるため、製造上有利になり得る。その他の内部の基板６（基板６ｃ）も同様である。この場合、基板６と基板６の面内は粘着層を用いて接合する。これは、基板６間に空気層ができると基板６との屈折率差で界面反射が発生し、透過率が低下するためである。
【００３６】
面状発光部１０は、光透過性を有する有機ＥＬ素子で構成されている。有機ＥＬ素子は透明であってよい。有機ＥＬ素子は半透明であってもよい。光学特性を高めるためには、有機ＥＬ素子は透明であることが好ましい。有機ＥＬ素子の上に防湿材料が被覆されていてもよい。この場合、封止性能を向上させることができる。防湿材料は透明であることが好ましい。
【００３７】
面状発光部１０は、一対の電極５ａ、５ｂと、この一対の電極５ａ、５ｂの間に配置された有機発光層１を有している。有機ＥＬ素子は、電極５ａ及び電極５ｂの間に有機発光層１が配置された構成を有する素子である。面状発光部１０が有機ＥＬ素子で構成されることにより、光学特性の優れた薄型で透明の発光体を形成することができる。有機発光層１は光透過性を有する。電極５ａ及び電極５ｂは光透過性を有する。そのため、発光時には、有機発光層１で発した光を厚み方向の両側に出射することができる。また、非発光時には、光を一方の側から他方の側に透過させることができる。
【００３８】
電極５ａ及び電極５ｂは、対となる電極である。電極５ａ及び電極５ｂは、一方が陽極を構成し、他方が陰極を構成する。電極５ａは第１面Ｆ１側に配置され、電極５ｂは第２面Ｆ２側に配置されている。電極５ａは光取り出し側の電極となる。電極５ａが陰極で構成され、電極５ｂが陽極で構成されることが好ましい一態様である。また、電極５ａが陽極で構成され、電極５ｂが陰極で構成されていてもよい。
【００３９】
有機発光層１は、発光を生じさせる機能を有する層であり、ホール注入層、ホール輸送層、発光材料含有層、電子輸送層、電子注入層、中間層などから適宜選ばれる複数の機能層によって構成され得るものである。もちろん、有機発光層１は発光材料含有層の単層で構成されてもよい。有機ＥＬ素子では、電極５ａと電極５ｂとに電圧を印加し、これらの間で電流を流すことにより、有機発光層１（発光材料含有層）において正孔と電子を結合させて発光を生じさせる。
【００４０】
面状発光部１０は、隣り合う基板６の間に配置されている。図１の例では、面状発光部１０は、基板６ｂと基板６ｃとの間に配置されている。面状発光部１０が二つの基板６の間に配置されることで、封止されている。封止により、有機発光層１の劣化が抑制される。二つの基板６は一対となっている。通常、有機ＥＬ素子は積層により形成される。その際、積層を行うための形成基板を要する。形成基板は、一対となった基板６の少なくともいずれかにより形成される。形成基板と対向する基板６は封止基板となる。封止基板は、一対となった基板６のうちの形成基板でない方により形成される。
【００４１】
有機ＥＬ素子は、電極５ａと電極５ｂとの間に電流を流すことにより、有機発光層１において発光が生じる。電極５ａと電極５ｂとは、配線により、電源に電気回路的に接続されていてよい。電源から給電を行うことにより、有機ＥＬ素子に電流が流れる。有機ＥＬ素子の電源は直流電源により構成されていてよい。有機ＥＬ素子では一般的には電流の方向は一方向である。直流電源により、安定した発光を得ることができる。有機ＥＬ素子の発光色は白色でもよいし、青色、緑色、又は赤色でもよい。もちろん、青から緑又は緑から赤までの間の中間色であってもよい。また、印加電流により調色可能であってもよい。
【００４２】
光散乱可変部２０は、光散乱性が変化する部分である。光散乱可変部２０は、光散乱性の程度が変化可能に構成されている。光散乱性の程度が変化可能とは、高散乱状態と低散乱状態とを変化可能なことであってよい。あるいは、光散乱性の程度が変化可能とは、光散乱性を有する状態と、光散乱性を有さない状態とを変化可能なことであってもよい。光散乱性の程度が変化可能であると、光学的な状態を変化させることができ、光学特性の優れた面状発光体１００を得ることができる。光散乱可変部２０は層状に形成されていてよい。
【００４３】
高散乱状態とは、光散乱性が高い状態である。高散乱状態は、例えば、一方の面から入射した光が、散乱によって進行方向がいろいろな方向に変わって、他方の面に分散して出射する状態である。高散乱状態は、一方の面側から他方の面側に存在する物体を見たときに、物体がぼやけて見える状態であり得る。高散乱状態は、半透明な状態であり得る。光散乱可変部２０が光散乱性を発揮する場合、光散乱可変部２０は、光を散乱する散乱層として機能する。
【００４４】
低散乱状態とは、光散乱性が低い又は光散乱性がない状態である。低散乱状態は、例えば、一方の面から入射した光が、進行方向をそのまま維持して、他方の面に出射する状態である。低散乱状態は、一方の面側から他方の面側に存在する物体を見たときに、物体を明瞭に視認できる状態であり得る。低散乱状態は、透明な状態であり得る。
【００４５】
光散乱可変部２０は、光散乱性が高い高散乱状態と、光散乱性が低い又は光散乱性がない低散乱状態と、高散乱状態と低散乱状態との間の光散乱性を発揮する状態と、を有することが可能なように構成されていることが好ましい。高散乱状態と低散乱状態との間の光散乱性を発揮することができることで、中程度の光散乱性を付与することができるため、光学的な状態をバリエーション高く変化させることができ、光学特性をより向上することができる。ここでは、高散乱状態と低散乱状態との間の光散乱性を発揮する状態を、中散乱状態と呼ぶ。
【００４６】
中散乱状態は、高散乱状態と低散乱状態との間において、少なくとも一つの散乱状態を有するものであってよい。例えば、高散乱状態と中散乱状態と低散乱状態との三つの状態を切り替えることにより、光散乱性を変化させることができると、光学特性が向上する。中散乱状態は、高散乱状態と低散乱状態との間において、散乱性の程度が複数の段階となった複数の状態を有するものであることが好ましい一態様である。それにより、散乱性の程度が複数の段階になるため、光学特性をより高めることができる。例えば、高散乱状態と複数の中散乱状態と低散乱状態との複数の状態を切り替えることにより、光散乱性を段階的に変化させることができると、光学特性が向上する。中散乱状態は、高散乱状態と低散乱状態との間において、高散乱状態から低散乱状態まで、連続的に変化するように構成されていることが好ましい一態様である。それにより、散乱性の程度が連続的に変化するものになるため、光学的な状態をバリエーション高く変化させることができ、光学特性をより高めることができる。例えば、高散乱状態と低散乱状態との間で目的とする光散乱性を発揮させる状態にして光散乱性を変化させることができると、中間状態を作り出すことができるため、光学特性が向上する。光散乱可変部２０が、中散乱状態を有する場合、光散乱可変部２０は、中散乱状態を維持できるように構成されていることが好ましい。
【００４７】
光散乱可変部２０は、少なくとも可視光の一部を散乱させるものであってよい。光散乱可変部２０は可視光の全部を散乱させるものであることが好ましい。もちろん、光散乱可変部２０は、赤外線を散乱させたり、紫外線を散乱させたりするものであってもよい。
【００４８】
光散乱可変部２０は、散乱量と散乱方向の少なくともいずれか一方を変化させることが可能なように構成されることが好ましい一態様である。散乱量及び散乱方向の変化は、中散乱状態において行われるものであってよい。散乱量が変化するとは、散乱の強さが変化することである。散乱方向が変化するとは、散乱する方向性が変化することである。散乱量及び散乱方向が変化すると、例えば、面状発光体１００の反対側にある物体を視認したときに、物体の不明瞭性（ぼやけ方）の強さが変化する。そのため、非発光時において面状発光体１００を通した物体の見え方を異ならせるようにしたり、発光時において面状発光部１０で生じた光の配光性の制御を行ったりすることができ、光学特性を向上することができる。
【００４９】
光散乱可変部２０は、光散乱性を発揮する状態では、第１面Ｆ１から第２面Ｆ２に向かう方向の光よりも、第２面Ｆ２から第１面Ｆ１に向かう方向の光に対する散乱性が高いことが好ましい。それにより、面状発光部１０からの光をより散乱させることができるため、光学特性を向上することができる。もちろん、光散乱可変部２０は、光散乱性を発揮する状態で、第１面Ｆ１から第２面Ｆ２に向かう方向の光と、第２面Ｆ２から第１面Ｆ１に向かう方向の光との光散乱性が同じであってもよい。あるいは、光散乱可変部２０は、光散乱性を発揮する状態で、第１面Ｆ１から第２面Ｆ２に向かう方向の光の方が、第２面Ｆ２から第１面Ｆ１に向かう方向の光よりも光散乱性が高くてもよい。
【００５０】
光散乱可変部２０は、光散乱性の程度が変化可能な適宜の構造で形成され得る。光散乱可変部２０は、電界変調であってよい。電界変調は、電界をかけることによって光散乱性が変化する方式である。
【００５１】
面状発光体１００においては、光散乱可変部２０の光散乱性を制御可能なように構成されている。光散乱可変部２０が電界変調であると、電界によって容易に光散乱性を変化させることができるため、光学特性を向上することができる。
【００５２】
光散乱可変部２０は、光透過性を有することが可能なように構成されている。高散乱状態では、光散乱可変部２０は、半透明であってよい。低散乱状態では、光散乱可変部２０は、透明であってよい。中散乱状態では、光散乱可変部２０は、高散乱状態よりも透明性の高い半透明であってよい。
【００５３】
光散乱可変部２０は、一対の電極５ｘ、５ｙと、この一対の電極５ｘ、５ｙの間に配置された光散乱可変層２を有している。対となる電極５ｘ、５ｙでは、電極５ｘが第１面Ｆ１側に配置され、電極５ｙが第２面Ｆ２側に配置されている。光散乱可変部２０は、電極５ｘ及び電極５ｙの間に光散乱可変層２が配置された構成を有する。光散乱可変部２０が光散乱可変層２で構成されることにより、光学特性の優れた薄型の光散乱構造を形成することができる。光散乱可変層２は、光散乱性が変化する層である。光散乱可変層２は、少なくとも高散乱状態と低散乱状態とを有する。光散乱可変層２は、好ましくは中散乱状態を有する。電極５ｘ及び電極５ｙは光透過性を有する。そのため、光散乱可変層２が光散乱性を有する状態の場合、光散乱可変部２０に入射した光を散乱させることができる。また、光散乱可変層２が光散乱性を有さない状態の場合、光散乱可変部２０に入射した光をそのまま出射することができる。
【００５４】
光散乱可変部２０は、隣り合う基板６の間に配置されている。図１の例では、光散乱可変部２０は、基板６ａと基板６ｂとの間に配置されている。光散乱可変部２０が二つの基板６の間に配置されることで、封止されている。封止により、光散乱可変層２が保持され、さらにその劣化が抑制される。二つの基板６は一対となっている。通常、光散乱可変部２０は積層により形成される。その際、積層を行うための形成基板を要する。形成基板は、一対となった基板６の少なくともいずれかにより形成される。形成基板と対向する基板６は封止基板となる。封止基板は、一対となった基板６のうちの形成基板でない方により形成される。
【００５５】
光散乱可変部２０は、電極５ｘと電極５ｙとの間に電圧を印加することにより、光散乱可変層２における光散乱性の程度が変化する。電極５ｘと電極５ｙとは、配線により、電源に電気回路的に接続されていてよい。電源から給電を行うことにより、光散乱可変部２０に電圧が印加される。光散乱可変部２０の電源は交流電源により構成され得る。電界により光散乱性が変化する材料では、電圧印加の開始から時間がたつと、電圧印加時の光散乱性の状態が維持できなくなるものが多く存在する。交流電源では、電圧を双方向に交互に印加することができ、電圧の方向を変えることで実質的に継続して電圧を印加することが可能である。そのため、交流電源により、安定した光散乱性を得ることができる。交流の波形は矩形波であることが好ましい。それにより、印加する電圧量が一定になりやすくなるため、光散乱性を安定化させることがより可能になる。もちろん、交流はパルスであってよい。なお、中散乱状態は、電圧の印加量が制御されることによって形成され得る。
【００５６】
光散乱可変層２の材料としては、電界変調によって分子配向が変わる材料を用いることができる。例えば、液晶材料などが挙げられる。光散乱可変層２の材料としては、高分子分散型液晶を用いることが好ましい。高分子分散型液晶では、液晶が高分子によって保持されているため、安定な光散乱可変層２を形成することができる。高分子分散型液晶は、ＰＤＬＣ（Polymer Dispersed Liquid Crystal）と呼ばれる。なお、光散乱可変層２の材料としては、電界により散乱性が変化する固体物質も好ましく用いられる。
【００５７】
高分子分散型液晶は、樹脂部と液晶部とから構成されるものであってよい。樹脂部は高分子により形成される。樹脂部は光透過性を有することが好ましい。それにより、光散乱可変部２０が光透過性を有するようにすることができる。樹脂部は、熱硬化性樹脂、紫外線硬化性樹脂などにより形成され得る。液晶部は、電界によって液晶構造が変化する部分である。液晶部は、ネマチック液晶などが用いられる。高分子分散型液晶は、樹脂部の中に液晶部が液滴形状で分散された状態で存在する構造であることが好ましい一態様である。この高分子分散型液晶においては、樹脂部が海、液晶部が島を構成する海島構造となっていてよい。高分子分散型液晶は、樹脂部の中において液晶部が網目状に不規則につながる形状であることが好ましい一態様である。もちろん、高分子分散型液晶は、液晶部の中に樹脂部が液滴形状で分散された状態で存在したり、液晶部の中で樹脂部が網目状に不規則につながったりした構造であってもよい。
【００５８】
光散乱可変部２０は、電圧無印加時に光散乱状態となり、電圧印加時に光透過状態となることが好ましい一態様である。高分子分散型液晶では、そのような制御になり得る。液晶では、電圧の印加で配向を揃えることが可能だからである。高分子分散型液晶では、薄型で散乱性の高い光散乱可変部２０を形成することができる。もちろん、光散乱可変部２０は、電圧無印加時に光透過状態となり、電圧印加時に光散乱状態となるものであってもよい。
【００５９】
光散乱可変層２は、電圧を印加したときの光散乱状態が維持されるものであることが好ましい。それにより、光散乱状態を変化させたいときに電圧を印加し、そうでないときには電圧を印加させなくてもよいので、電力効率が高まる。光散乱状態が維持される性質はヒステリシスと呼ばれる。この性質は記憶性（メモリ性）といってもよい。所定電圧以上の電圧を付加することにより、ヒステリシスは発揮され得る。光散乱状態の維持される時間は、長いほどよいが、例えば、１時間以上が好ましく、３時間以上がより好ましく、６時間以上がさらに好ましく、１２時間以上がよりさらに好ましく、２４時間以上がよりもっと好ましい。
【００６０】
次に実施形態１の光学調整部７０について説明した後、実施形態２の第１光学調整部７０ａ及び第２光学調整部７０ｂについて説明する。
【００６１】
まず実施形態１の光学調整部７０について説明する。光学調整部７０は、第１ワイヤグリッド素子７１ａと、第２ワイヤグリッド素子７１ｂとを有している。第１ワイヤグリッド素子７１ａは、第１基材７２ａに第１線７３ａを複数平行に等間隔で設けて形成されている。第２ワイヤグリッド素子７１ｂは、第２基材７２ｂに第２線７３ｂを複数平行に等間隔で設けて形成されている。第１基材７２ａ及び第２基材７２ｂは光透過性を有している。第１基材７２ａ及び第２基材７２ｂとして、ガラス基板、樹脂基板などを用いることができる。第１線７３ａ及び第２線７３ｂは光吸収性を有している。第１線７３ａ及び第２線７３ｂは例えば図２に示すように直線状である。第１線７３ａは、第１基材７２ａから、例えば、光吸収性を有するクロムからなる第１層７３１、アルミニウムからなる第２層７３２を積層して形成されている。第１層７３１及び第２層７３２の材質は特に限定されない。同様に第２線７３ｂも、第２基材７２ｂから、例えばクロムからなる第１層７３１、アルミニウムからなる第２層７３２を積層して形成されている。図２及び図３に示すように、第１線７３ａの幅Ｗと、隣り合う第１線７３ａ、７３ａ間の隙間Ｓとは同じであり（Ｗ＝Ｓ）、例えば２００〜６００ｎｍである。隣り合う第１線７３ａ、７３ａの各中心間距離Ｐ（ピッチ）は、例えば４００〜１２００ｎｍである（Ｐ＝Ｗ＋Ｓ）。同様に、第２線７３ｂの幅Ｗと、隣り合う第２線７３ｂ、７３ｂ間の隙間Ｓとは同じであり（Ｗ＝Ｓ）、例えば２００〜６００ｎｍである。隣り合う第２線７３ｂ、７３ｂの各中心間距離Ｐ（ピッチ）は、例えば４００〜１２００ｎｍである（Ｐ＝Ｗ＋Ｓ）。光学調整部７０において、図１〜図３に示すように、第１線７３ａと第２線７３ｂとが略平行となるように、第１ワイヤグリッド素子７１ａと第２ワイヤグリッド素子７１ｂとが配置されている。
【００６２】
光学調整部７０は、第１線７３ａ及び第２線７３ｂに対して略垂直な方向に第１ワイヤグリッド素子７１ａ及び第２ワイヤグリッド素子７１ｂが相対的に移動することが可能なように構成されている。この移動は、可逆的で、機械的な平行移動を意味している。第１ワイヤグリッド素子７１ａ及び第２ワイヤグリッド素子７１ｂは、第１線７３ａ及び第２線７３ｂが設けられた面を相互に対向させて配置されている。第１ワイヤグリッド素子７１ａ及び第２ワイヤグリッド素子７１ｂの相対的な移動に伴って、第１線７３ａ及び第２線７３ｂ同士が衝突しないように、第１線７３ａ及び第２線７３ｂ同士は厚み方向にわずかに離間している。そのため第１ワイヤグリッド素子７１ａ及び第２ワイヤグリッド素子７１ｂ間には空隙７５が存在している。この空隙７５は、面状発光体１００の光学特性に全く又はほとんど影響を及ぼさない気体（空気など）又は液体で満たされている。第１ワイヤグリッド素子７１ａ及び第２ワイヤグリッド素子７１ｂの移動方向は、図１に矢印で示すように、面方向であり、かつ第１線７３ａ及び第２線７３ｂに対して略垂直な方向である。第１ワイヤグリッド素子７１ａ及び第２ワイヤグリッド素子７１ｂの移動は相対的であればよいので、一方を静止させ、他方を移動させてもよいし、両方を移動させてもよい。両方を移動させる場合には、その向きは相互に逆向きである。第１ワイヤグリッド素子７１ａ及び第２ワイヤグリッド素子７１ｂの移動は、例えば電動アクチュエータなどのアクチュエータを用いて行うことができる。
【００６３】
光学調整部７０は、隣り合う基板６の間に配置されている。図１の例では、光学調整部７０は、基板６ｃと基板６ｄとの間に配置されている。二つの基板６は一対となって光学調整部７０を支持している。第１ワイヤグリッド素子７１ａ及び第２ワイヤグリッド素子７１ｂの一方又は両方が移動しても、基板６ｃ及び基板６ｄは移動しない。図１の例では、第１ワイヤグリッド素子７１ａは第１面Ｆ１側に配置され、第２ワイヤグリッド素子７１ｂは第２面Ｆ２側に配置されている。
【００６４】
図３Ａ〜図３Ｃは、光学調整部７０における第１ワイヤグリッド素子７１ａ及び第２ワイヤグリッド素子７１ｂの位置関係を示している。
【００６５】
図３Ａは、厚み方向から見た場合に、第１線７３ａ及び第２線７３ｂ同士が重なり合い、隣り合う第１線７３ａ及び第２線７３ｂ間の隙間Ｓａが最大となる状態（Ｓａ＝Ｓ）である。
【００６６】
図３Ｂは、厚み方向から見た場合に、第１線７３ａ及び第２線７３ｂの一部が重なり合い、隣り合う第１線７３ａ及び第２線７３ｂ間の隙間Ｓｂが、図３Ａに比べて狭くなる状態（Ｓｂ＜Ｓａ＝Ｓ）である。
【００６７】
図３Ｃは、厚み方向から見た場合に、第１線７３ａ及び第２線７３ｂ同士が重なり合わず、隣り合う第１線７３ａ及び第２線７３ｂ間の隙間がない状態である。
【００６８】
このように、光学調整部７０における第１ワイヤグリッド素子７１ａ及び第２ワイヤグリッド素子７１ｂの位置関係を図３Ａ〜図３Ｃのように変えることによって、光学調整部７０が光学調整可能な部分となる。具体的には、光学調整部７０は、光吸収性が変化する部分となる。このように、第１ワイヤグリッド素子７１ａ及び第２ワイヤグリッド素子７１ｂが相対的に機械的に移動することにより、光学調整部７０による光吸収性などの光学調整を速く行うことができる。その結果、光学特性を変化させる際の応答速度が速い面状発光体１００を得ることができる。
【００６９】
以下では、より詳細に光学調整部７０が光吸収性を変化させる場合について説明する。
【００７０】
光学調整部７０は、光吸収性が変化する部分となり得る。光学調整部７０は、光吸収性の程度が変化可能に構成されている。光吸収性の程度が変化可能とは、高吸収状態と低吸収状態とを変化可能なことであってよい。あるいは、光吸収性の程度が変化可能とは、光吸収性を有する状態と、光吸収性を有さない状態とを変化可能なことであってもよい。光吸収性の程度が変化可能であると、光学的な状態を変化させることができ、光学特性の優れた面状発光体１００を得ることができる。
【００７１】
高吸収状態とは、光吸収性が高い状態である。高吸収状態は、例えば、一方の面から入射した光が、吸収によって他方の面に出射しない状態である。高吸収状態は、一方の面側から他方の面側に存在する物体を視認することができない状態であり得る。高吸収状態は、両側から他方の面側に存在する物体を視認することができない状態であり得る。高吸収状態は、不透明な状態であり得る。高吸収状態では、光学調整部７０は黒色となり得る。例えば図３Ｃの場合、光学調整部７０は高吸収状態となり得る。光学調整部７０が光吸収性を発揮する場合、光学調整部７０は、光を吸収する吸収層として機能する。
【００７２】
低吸収状態とは、光吸収性が低い又は光吸収性がない状態である。低吸収状態は、例えば、一方の面から入射した光が、吸収されずに進行方向をそのまま維持して、他方の面に出射する状態である。低吸収状態は、一方の面側から他方の面側に存在する物体を見たときに、物体を明瞭に視認できる状態であり得る。低吸収状態は、透明な状態であり得る。
【００７３】
光学調整部７０は、光吸収性が高い高吸収状態と、光吸収性が低い又は光吸収性がない低吸収状態と、高吸収状態と低吸収状態との間の光吸収性を発揮する状態と、を有することが可能なように構成されていてもよい。高吸収状態と低吸収状態との間の光吸収性を発揮することができることで、中程度の光吸収性を付与することができるため、光学的な状態をバリエーション高く変化させることができ、光学特性をより向上することができる。ここでは、高吸収状態と低吸収状態との間の光吸収性を発揮する状態を、中吸収状態と呼ぶ。
【００７４】
中吸収状態は、高吸収状態と低吸収状態との間において、少なくとも一つの吸収状態を有するものであってよい。例えば、高吸収状態と中吸収状態と低吸収状態との三つの状態を切り替えることにより、光吸収性を変化させることができると、光学特性が向上する。中吸収状態は、高吸収状態と低吸収状態との間において、吸収性の程度が複数の段階となった複数の状態を有するものであることが好ましい一態様である。それにより、吸収性の程度が複数の段階になるため、光学特性をより高めることができる。例えば、高吸収状態と複数の中吸収状態と低吸収状態との複数の状態を切り替えることにより、光吸収性を段階的に変化させることができると、光学特性が向上する。中吸収状態は、高吸収状態と低吸収状態との間において、高吸収状態から低吸収状態まで、連続的に変化するように構成されていることが好ましい一態様である。それにより、吸収性の程度が連続的に変化するものになるため、光学的な状態をバリエーション高く変化させることができ、光学特性をより高めることができる。例えば、高吸収状態と低吸収状態との間で目的とする光吸収性を発揮させる状態にして光吸収性を変化させることができると、中間状態を作り出すことができるため、光学特性が向上する。光学調整部７０が、中吸収状態を有する場合、光学調整部７０は、中吸収状態を維持できるように構成されていることが好ましい。
【００７５】
光学調整部７０は、少なくとも可視光の一部を吸収するものであることが好ましい。それにより、発光を鮮明にすることができる。光学調整部７０は可視光の全部を吸収するものであることが好ましい。それにより、さらに発光を鮮明にすることができる。光学調整部７０は、赤外線を吸収するものであってもよい。赤外線を吸収する場合、遮熱効果を得ることができる。光学調整部７０は紫外線を吸収するものであってもよい。それにより、面状発光体１００の劣化を抑制することができる。また、紫外線を吸収できると、屋内への紫外線の侵入を抑制することができる。光学調整部７０が赤外線または紫外線を吸収する場合、光学調整部７０は第２面Ｆ２側に配置されることが好ましい。これにより、赤外線や紫外線が、面状発光部１０及び光散乱可変部２０を劣化させることを抑制することができる。光学調整部７０は、可視光、紫外線及び赤外線のいずれか１つを吸収することが好ましく、これらのうちの２つを吸収することがより好ましく、これらの全てを吸収することがさらに好ましい。
【００７６】
光学調整部７０は、吸収スペクトルの形状を変化させることが可能なように構成されていてもよい。吸収スペクトルの変化は、中反射状態において行われるものであってよい。吸収スペクトルの形状が変化するとは、光学調整部７０に入射する光と、光学調整部７０を通った光とのスペクトル形状が異なることである。吸収スペクトルの変化は吸収波長の変化により行われる。例えば、青色光のみを強く吸収したり、緑色光のみを強く吸収したり、赤色光のみを強く吸収したりすることによって、スペクトルの形状は変化する。吸収スペクトルが変化すると、面状発光体１００を通過する光の色が変化する。そのため、透過光の調色（色の調整）を行うことができ、光学特性を向上することができる。
【００７７】
光学調整部７０は、光吸収性を発揮する状態では、第１面Ｆ１から第２面Ｆ２に向かう方向の光よりも、第２面Ｆ２から第１面Ｆ１に向かう方向の光に対する吸収性が高いことが好ましい。それにより、面状発光部１０の劣化を抑制したり、紫外線が第１面Ｆ１側に入るのを抑制したりすることができる。もちろん、光学調整部７０は、光吸収性を発揮する状態で、第１面Ｆ１から第２面Ｆ２に向かう方向の光と、第２面Ｆ２から第１面Ｆ１に向かう方向の光との光吸収性が同じであってもよい。あるいは、光学調整部７０は、光吸収性を発揮する状態で、第１面Ｆ１から第２面Ｆ２に向かう方向の光の方が、第２面Ｆ２から第１面Ｆ１に向かう方向の光よりも光吸収性が高くてもよい。
【００７８】
光学調整部７０は、光透過性を有することが可能なように構成されている。高吸収状態では、光学調整部７０は、不透明であってよい。低吸収状態では、光学調整部７０は、透明であってよい。中吸収状態では、光学調整部７０は、半透明であってよい。
【００７９】
次に、実施形態１の面状発光体１００についてさらに説明する。
【００８０】
面状発光体１００は、第１面Ｆ１と第２面Ｆ２とを有する。第１面Ｆ１は、面状発光体１００における一方の側の表面である。第２面Ｆ２は、面状発光体１００における第１面Ｆ１とは反対側の表面である。第１面Ｆ１及び第２面Ｆ２は、一方が表面で他方が裏面であると言える。第２面Ｆ２は、第１面Ｆ１とは反対側に配置されている。
【００８１】
第１面Ｆ１は、面状発光部１０からの光を取り出すように構成されている。第１面Ｆ１は主発光面といってもよい。第１面Ｆ１は照明を得たい方の面であるといえる。面状発光体１００においては、発光が表裏の面のいずれかに適して取り出されるように形成される。面状発光部１０の光を取り出したい側の面が、第１面Ｆ１となる。第１面Ｆ１は主となる光取り出し面といってもよい。なお、第１面Ｆ１を主としたのは、第２面Ｆ２が副となり、第２面Ｆ２から面状発光部１０の光が取り出される場合があってもよいからである。ただし、両面から光が取り出される場合でも、第１面Ｆ１の方が、第２面Ｆ２よりも多く光が取り出されることが好ましい。面状発光体１００では、面状発光部１０からの光が第２面Ｆ２よりも第１面Ｆ１側に出射しやすい構造が形成されている。面状発光部１０は、第２面Ｆ２よりも第１面Ｆ１側に光を出射しやすい構造を有している。
【００８２】
面状発光部１０、光散乱可変部２０及び光学調整部７０は、第１面Ｆ１と第２面Ｆ２との間において厚み方向に配置されている。そして、光学調整部７０は、面状発光部１０及び光散乱可変部２０よりも第２面Ｆ２側に配置されている。図１の例では、第１面Ｆ１側から、光散乱可変部２０、面状発光部１０及び光学調整部７０の順で配置されている。これら各部の順序は、異なっていてもよい。
【００８３】
例えば、次の順序が例示される。次の順序は、第１面Ｆ１側からの順序である。また、「／」は、各部の境界を意味する。
【００８４】
光散乱可変部２０／面状発光部１０／光学調整部７０；及び
面状発光部１０／光散乱可変部２０／光学調整部７０。
【００８５】
このように、光学調整部７０は、面状発光部１０及び光散乱可変部２０よりも第２面Ｆ２側に配置されている。
【００８６】
光学調整部７０が光吸収性を有する場合には、余計な光を吸収することができるため、発光エリアと非発光エリアとの間のコントラストを高めることができ、より鮮明な発光を生じることができる。また、第２面Ｆ２側からの光を吸収することにより、面状発光部１０及び光散乱可変部２０に外部からの光を照射させないようにすることができ、これらの部分の劣化を抑制することができる。例えば、第２面Ｆ２が屋外側などに配置されると、紫外線を含む外光が面状発光体１００に侵入するおそれがあるが、紫外線を吸収可能な光学調整部７０が設けられていると、紫外線の侵入を抑制することができる。
【００８７】
光散乱可変部２０が面状発光部１０よりも第１面Ｆ１側に配置されている場合（図１）と面状発光部１０が光散乱可変部２０よりも第１面Ｆ１側に配置されている場合（図示省略）とにはそれぞれ以下のような利点がある。
【００８８】
光散乱可変部２０が面状発光部１０よりも第１面Ｆ１側に配置されている場合には、第１面Ｆ１は主として光を取り出す面であるので、面状発光部１０から生じる光をより散乱させることができる。その場合、光散乱性が高くなるため、視野角依存性を低減することができ、見る角度によって色の変化の少ない発光をより得ることが可能になる。また、光散乱性によって光をより多く取り出すことができるため、光取り出し効率を向上することができる。
【００８９】
面状発光部１０が光散乱可変部２０よりも第１面Ｆ１側に配置されている場合には、光散乱性が低くなるため、視野角に依存することなく、面状発光部１０からの発光の色の鮮明度を高めることができる。
【００９０】
面状発光体１００においては、各部は独立して駆動可能なように構成されていることが好ましい。それにより、各部を独立して制御することができるため、光学特性を高めることができる。光散乱可変部２０と面状発光部１０と光学調整部７０とは、独立して駆動可能なように構成されていることが好ましい。それにより、光学的性質の異なる状態を容易に作り出すことができるため、優れた光学特性を得ることができる。独立して駆動可能とは、各部への電力の供給を独立して行うことができることであってよい。各部への電力の供給は、各部において電極５が独立している場合はもちろん、ある部において電極５を他の部の電極５と共有する場合であっても、可能である。共有する電極５は、例えば、電圧のレベルを制御することにより、独立して駆動させることができる。
【００９１】
面状発光体１００は、独立して個々の基板上に各部を積層工程によって形成した後、各部を貼り合わせる方法や、各部を一方の面側から順次に基板上に積層工程で形成していく方法など、適宜の方法で形成され得る。
【００９２】
図４は、実施形態１の面状発光体１００の機能の一例を示している。図４は、図４Ａ〜図４Ｄから構成される。図４では、各部は模式的に図示されている。矢印は光の進行を示している。図４では、機能している部を斜線で示している。機能しているとは、光散乱可変部２０においては光散乱性が発揮されている状態であり、面状発光部１０においては発光している状態であり、光学調整部７０においては光吸収性が発揮されている状態である。各部が機能していない場合、その部は透明となり得る。なお、説明を単純化するため、光透過性や光散乱性や光吸収性が中間の状態は示していないが、連続して変化するような中間状態があってもよい。図４Ａ〜図４Ｄは、各部の機能の状態が異なっており、面状発光体１００としてそれぞれ異なる状態となっている。
【００９３】
図４に示すように、面状発光部１０、光散乱可変部２０、光学調整部７０のうちの少なくとも一つが機能すると、面状発光体１００に外部から入った光がそのまま通りぬけにくくなるため、面状発光体１００は非透明になり得る。図４Ａのように、面状発光部１０のみが機能する場合、面状発光部１０の発する光により、第１面Ｆ１側から第２面Ｆ２側を視認しにくくなり、同様に第２面Ｆ２側から第１面Ｆ１側を視認しにくくなり、非透明となり得る。図４Ｂのように光学調整部７０の光吸収性が発揮されている場合には、光が吸収されるため、第１面Ｆ１と第２面Ｆ２との間において光がそのまま通りぬけできない。図４Ｃのように光散乱可変部２０の光散乱性が発揮されている場合には、光が散乱されて例えば乳白色となるため、第１面Ｆ１と第２面Ｆ２との間において光がそのまま通りぬけできない。面状発光部１０が機能する場合に、すなわち、有機ＥＬ素子が光を生じる場合に、他の部が機能していると、有機ＥＬ素子の光が有効に利用される。例えば、図４Ｄでは、散乱によって光がより多く第１面Ｆ１側に取り出され、光の角度依存性が低減される。さらに光学調整部７０の光吸収性が発揮されているため、有機ＥＬ素子の光は第２面Ｆ２側には漏れない。
【００９４】
次に実施形態２の第１光学調整部７０ａ及び第２光学調整部７０ｂについて説明する。第１光学調整部７０ａ及び第２光学調整部７０ｂは、実施形態１の光学調整部７０とほぼ同様に構成されている。すなわち、第１光学調整部７０ａにおける第１ワイヤグリッド素子７１ａ及び第２ワイヤグリッド素子７１ｂ、並びに第２光学調整部７０ｂにおける第３ワイヤグリッド素子７１ｃ及び第４ワイヤグリッド素子７１ｄは、それぞれ光学調整部７０における第１ワイヤグリッド素子７１ａ及び第２ワイヤグリッド素子７１ｂに相当する。実施形態２の第１基材７２ａ及び第２基材７２ｂ、並びに第３基材７２ｃ及び第４基材７２ｄは、それぞれ実施形態１の第１基材７２ａ及び第２基材７２ｂに相当する。ただし、実施形態２の第１基材７２ａに設けられる第１線７４ａ、第２基材７２ｂに設けられる第２線７４ｂ、第３基材７２ｃに設けられる第３線７４ｃ、第４基材７２ｄに設けられる第４線７４ｄは、光反射性を有するアルミニウムで形成されている。
【００９５】
第１光学調整部７０ａ及び第２光学調整部７０ｂは、図５及び図６に示すように、第１線７４ａ及び第２線７４ｂと第３線７４ｃ及び第４線７４ｄとが略直交するように隣接して配置されている。第１光学調整部７０ａ及び第２光学調整部７０ｂは、隣り合う基板６の間に配置されている。図５の例では、第１光学調整部７０ａ及び第２光学調整部７０ｂは、基板６ｃと基板６ｄとの間に配置されている。二つの基板６は一対となって第１光学調整部７０ａ及び第２光学調整部７０ｂを支持している。第１ワイヤグリッド素子７１ａ、第２ワイヤグリッド素子７１ｂ、第３ワイヤグリッド素子７１ｃ、第４ワイヤグリッド素子７１ｄのいずれかが移動しても、基板６ｃ及び基板６ｄは移動しない。図５の例では、第１ワイヤグリッド素子７１ａは第１面Ｆ１側に配置され、第４ワイヤグリッド素子７１ｄは第２面Ｆ２側に配置されている。
【００９６】
図７Ａ〜図７Ｃは、第１光学調整部７０ａにおける第１ワイヤグリッド素子７１ａ及び第２ワイヤグリッド素子７１ｂの位置関係を示し、さらに第２光学調整部７０ｂにおける第３ワイヤグリッド素子７１ｃ及び第４ワイヤグリッド素子７１ｄの位置関係も示している。
【００９７】
図７Ａは、厚み方向から見た場合に、第１線７４ａ及び第２線７４ｂ同士が重なり合い、隣り合う第１線７４ａ及び第２線７４ｂ間の隙間Ｓａが最大となる状態（Ｓａ＝Ｓ）である。この場合、隙間Ｓａは可視光領域の波長より広くなるので、第１光学調整部７０ａ及び第２光学調整部７０ｂはいずれも回折格子として機能せず、可視光は、第１光学調整部７０ａ及び第２光学調整部７０ｂを透過する。
【００９８】
図７Ｂは、厚み方向から見た場合に、第１線７４ａ及び第２線７４ｂの一部が重なり合い、隣り合う第１線７４ａ及び第２線７４ｂ間の隙間Ｓｂが、図７Ａに比べて狭くなる状態（Ｓｂ＜Ｓａ＝Ｓ）である。この場合、隙間Ｓｂは可視光領域の波長より狭くなるので、第１光学調整部７０ａ及び第２光学調整部７０ｂはいずれも回折格子として機能する。例えば、第２面Ｆ２側から光が入射する場合、入射光のうち、第３線７４ｃ及び第４線７４ｄに平行な偏波（Ｓ波）は反射し、第３線７４ｃ及び第４線７４ｄに垂直な偏波（Ｐ波）は透過するが、第１線７４ａ及び第２線７４ｂが第３線７４ｃ及び第４線７４ｄに略直交しているので、結局、Ｐ波も反射することとなる。第１面Ｆ１から光が入射する場合も、入射光は全て反射されることとなる。
【００９９】
図７Ｃは、厚み方向から見た場合に、第１線７４ａ及び第２線７４ｂ同士が重なり合わず、隣り合う第１線７４ａ及び第２線７４ｂ間の隙間がない状態である。この場合も入射光は、第１光学調整部７０ａ及び第２光学調整部７０ｂで全て反射されることとなる。
【０１００】
第１光学調整部７０ａにおける隙間Ｓａ及び隙間Ｓｂと、第２光学調整部７０ｂにおける隙間Ｓａ及び隙間Ｓｂとは、同じように調整してもよいし、異なるように調整してもよい。これにより、入射光のうち、一部を透過させ、残りを反射させることもできる。
【０１０１】
このように、第１光学調整部７０ａにおける第１ワイヤグリッド素子７１ａ及び第２ワイヤグリッド素子７１ｂの位置関係、並びに第２光学調整部７０ｂにおける第３ワイヤグリッド素子７１ｃ及び第４ワイヤグリッド素子７１ｄの位置関係を図７Ａ〜図７Ｃのように変えることによって、第１光学調整部７０ａ及び第２光学調整部７０ｂが光学調整可能な部分となる。具体的には、第１光学調整部７０ａ及び第２光学調整部７０ｂは、光反射性が変化する部分となる。このように、第１ワイヤグリッド素子７１ａ及び第２ワイヤグリッド素子７１ｂが相対的に機械的に移動し、第３ワイヤグリッド素子７１ｃ及び第４ワイヤグリッド素子７１ｄが相対的に機械的に移動することにより、第１光学調整部７０ａ及び第２光学調整部７０ｂによる光反射性などの光学調整を速く行うことができる。その結果、光学特性を変化させる際の応答速度が速い面状発光体１００を得ることができる。
【０１０２】
以下では、より詳細に第１光学調整部７０ａ及び第２光学調整部７０ｂが光反射性を変化させる場合について説明する。
【０１０３】
第１光学調整部７０ａ及び第２光学調整部７０ｂは、光反射性が変化する部分となり得る。第１光学調整部７０ａ及び第２光学調整部７０ｂは、光反射性の程度が変化可能に構成されている。光反射性の程度が変化可能とは、高反射状態と低反射状態とを変化可能なことであってよい。あるいは、光反射性の程度が変化可能とは、光反射性を有する状態と、光反射性を有さない状態とを変化可能なことであってもよい。光反射性の程度が変化可能であると、光学的な状態を変化させることができ、光学特性の優れた面状発光体１００を得ることができる。
【０１０４】
高反射状態とは、光反射性が高い状態である。高反射状態は、例えば、一方の面に入射した光が、反射によって進行方向が反対方向に変わって、入射した側に出射する状態である。高反射状態は、一方の面側から他方の面側に存在する物体を視認することができない状態であり得る。高反射状態は、一方の面側から第１光学調整部７０ａ及び第２光学調整部７０ｂを見たときに、同じ面側に存在する物体が視認される状態であり得る。高反射状態は、鏡状態であり得る。第１光学調整部７０ａ及び第２光学調整部７０ｂが光反射性を発揮する場合、第１光学調整部７０ａ及び第２光学調整部７０ｂは、光を反射する反射層として機能する。
【０１０５】
低反射状態とは、光反射性が低い又は光反射性がない状態である。低反射状態は、例えば、一方の面から入射した光が、進行方向をそのまま維持して、他方の面に出射する状態である。低反射状態は、一方の面側から他方の面側に存在する物体を見たときに、物体を明瞭に視認できる状態であり得る。低反射状態は、透明な状態であり得る。
【０１０６】
第１光学調整部７０ａ及び第２光学調整部７０ｂは、光反射性が高い高反射状態と、光反射性が低い又は光反射性がない低反射状態と、高反射状態と低反射状態との間の光反射性を発揮する状態と、を有することが可能なように構成されていることが好ましい。高反射状態と低反射状態との間の光反射性を発揮することができることで、中程度の光反射性を付与することができるため、光学的な状態をバリエーション高く変化させることができ、光学特性をより向上することができる。ここでは、高反射状態と低反射状態との間の光反射性を発揮する状態を、中反射状態と呼ぶ。
【０１０７】
中反射状態は、高反射状態と低反射状態との間において、少なくとも一つの反射状態を有するものであってよい。例えば、高反射状態と中反射状態と低反射状態との三つの状態を切り替えることにより、光反射性を変化させることができると、光学特性が向上する。中反射状態は、高反射状態と低反射状態との間において、反射性の程度が複数の段階となった複数の状態を有するものであることが好ましい一態様である。それにより、反射性の程度が複数の段階になるため、光学特性をより高めることができる。例えば、高反射状態と複数の中反射状態と低反射状態との複数の状態を切り替えることにより、光反射性を段階的に変化させることができると、光学特性が向上する。中反射状態は、高反射状態と低反射状態との間において、高反射状態から低反射状態まで、連続的に変化するように構成されていることが好ましい一態様である。それにより、反射性の程度が連続的に変化するものになるため、光学的な状態をバリエーション高く変化させることができ、光学特性をより高めることができる。例えば、高反射状態と低反射状態との間で目的とする光反射性を発揮させる状態にして光反射性を変化させることができると、中間状態を作り出すことができるため、光学特性が向上する。第１光学調整部７０ａ及び第２光学調整部７０ｂが、中反射状態を有する場合、第１光学調整部７０ａ及び第２光学調整部７０ｂは、中反射状態を維持できるように構成されていることが好ましい。
【０１０８】
第１光学調整部７０ａ及び第２光学調整部７０ｂは、少なくとも可視光の一部を反射させるものであってよい。第１光学調整部７０ａ及び第２光学調整部７０ｂは可視光の全部を反射させるものであることが好ましい。第１光学調整部７０ａ及び第２光学調整部７０ｂは、赤外線を反射させるものであってもよい。第１光学調整部７０ａ及び第２光学調整部７０ｂは紫外線を反射させるものであってもよい。第１光学調整部７０ａ及び第２光学調整部７０ｂが、可視光、紫外線及び赤外線の全てを反射する場合、光学的特性に優れ、安定した面状発光体１００を得ることができる。
【０１０９】
第１光学調整部７０ａ及び第２光学調整部７０ｂは、反射スペクトルの形状を変化させることが可能なように構成されることが好ましい一態様である。反射スペクトルの変化は、中反射状態において行われるものであってよい。反射スペクトルの形状が変化するとは、第１光学調整部７０ａ及び第２光学調整部７０ｂに入射する光と、第１光学調整部７０ａ及び第２光学調整部７０ｂで反射した光とのスペクトル形状が異なることである。反射スペクトルの変化は反射波長の変化により行われる。例えば、青色光のみを強く反射させたり、緑色光のみを強く反射させたり、赤色光のみを強く反射させたりすることによって、反射スペクトルの形状は変化する。反射スペクトルが変化すると、面状発光部１０から取り出される光の色が変化する。そのため、調色（色の調整）を行うことができ、光学特性を向上することができる。
【０１１０】
第１光学調整部７０ａ及び第２光学調整部７０ｂは、反射スペクトルの形状を変化させずに、光を反射させることが可能なように構成されることが好ましい一態様である。その場合、入射光と反射光とでスペクトルの変化がないため、反射の程度を単に弱くすることができる。反射性の強弱を制御することが可能になると、調光（明るさの調整）を行うことができ、光学特性を向上することができる。
【０１１１】
第１光学調整部７０ａ及び第２光学調整部７０ｂは、光反射性を発揮する状態では、第２面Ｆ２から第１面Ｆ１に向かう方向の光よりも、第１面Ｆ１から第２面Ｆ２に向かう方向の光に対する反射性が高いことが好ましい。それにより、面状発光部１０からの光をより反射させることができるため、光学特性を向上することができる。もちろん、第１光学調整部７０ａ及び第２光学調整部７０ｂは、光反射性を発揮する状態で、第１面Ｆ１から第２面Ｆ２に向かう方向の光と、第２面Ｆ２から第１面Ｆ１に向かう方向の光との光反射性が同じであってもよい。あるいは、第１光学調整部７０ａ及び第２光学調整部７０ｂは、光反射性を発揮する状態で、第２面Ｆ２から第１面Ｆ１に向かう方向の光の方が、第１面Ｆ１から第２面Ｆ２に向かう方向の光よりも光反射性が高くてもよい。
【０１１２】
第１光学調整部７０ａ及び第２光学調整部７０ｂは、光透過性を有することが可能なように構成されている。高反射状態では、第１光学調整部７０ａ及び第２光学調整部７０ｂは、不透明であってよい。高反射状態では、第１光学調整部７０ａ及び第２光学調整部７０ｂは、鏡状であることが好ましい。低反射状態では、第１光学調整部７０ａ及び第２光学調整部７０ｂは、透明であってよい。中反射状態では、第１光学調整部７０ａ及び第２光学調整部７０ｂは、半透明であってよい。このとき、一部の光が反射されるとともに、一部の光が透過されるものであってよい。
【０１１３】
次に、実施形態２の面状発光体１００についてさらに説明する。
【０１１４】
面状発光体１００は、第１面Ｆ１と第２面Ｆ２とを有する。第１面Ｆ１は、面状発光体１００における一方の側の表面である。第２面Ｆ２は、面状発光体１００における第１面Ｆ１とは反対側の表面である。第１面Ｆ１及び第２面Ｆ２は、一方が表面で他方が裏面であると言える。第２面Ｆ２は、第１面Ｆ１とは反対側に配置されている。
【０１１５】
第１面Ｆ１は、面状発光部１０からの光を取り出すように構成されている。第１面Ｆ１は主発光面といってもよい。第１面Ｆ１は照明を得たい方の面であるといえる。面状発光体１００においては、発光が表裏の面のいずれかに適して取り出されるように形成される。面状発光部１０の光を取り出したい側の面が、第１面Ｆ１となる。第１面Ｆ１は主となる光取り出し面といってもよい。なお、第１面Ｆ１を主としたのは、第２面Ｆ２が副となり、第２面Ｆ２から面状発光部１０の光が取り出される場合があってもよいからである。ただし、両面から光が取り出される場合でも、第１面Ｆ１の方が、第２面Ｆ２よりも多く光が取り出されることが好ましい。面状発光体１００では、面状発光部１０からの光が第２面Ｆ２よりも第１面Ｆ１側に出射しやすい構造が形成されている。面状発光部１０は、第２面Ｆ２よりも第１面Ｆ１側に光を出射しやすい構造を有している。
【０１１６】
面状発光部１０、光散乱可変部２０、第１光学調整部７０ａ及び第２光学調整部７０ｂは、第１面Ｆ１と第２面Ｆ２との間において厚み方向に配置されている。そして、第１光学調整部７０ａ及び第２光学調整部７０ｂは、面状発光部１０及び光散乱可変部２０よりも第２面Ｆ２側に配置されている。図１の例では、第１面Ｆ１側から、光散乱可変部２０、面状発光部１０、第１光学調整部７０ａ及び第２光学調整部７０ｂの順で配置されている。これら各部の順序は、異なっていてもよい。
【０１１７】
例えば、次の順序が例示される。次の順序は、第１面Ｆ１側からの順序である。また、「／」は、各部の境界を意味する。
【０１１８】
光散乱可変部２０／面状発光部１０／第１光学調整部７０ａ／第２光学調整部７０ｂ；及び
面状発光部１０／光散乱可変部２０／第１光学調整部７０ａ／第２光学調整部７０ｂ。
【０１１９】
このように、第１光学調整部７０ａ及び第２光学調整部７０ｂは、面状発光部１０及び光散乱可変部２０よりも第２面Ｆ２側に配置されている。そのため、第１光学調整部７０ａ及び第２光学調整部７０ｂが光反射性を有する場合には、反射を利用して光を取り出すことができるため、高効率で発光させることが可能となり、光学特性に優れた面状発光体１００を得ることができる。
【０１２０】
光散乱可変部２０が面状発光部１０よりも第１面Ｆ１側に配置されている場合（図１）と面状発光部１０が光散乱可変部２０よりも第１面Ｆ１側に配置されている場合（図示省略）とにはそれぞれ以下のような利点がある。
【０１２１】
光散乱可変部２０が面状発光部１０よりも第１面Ｆ１側に配置されている場合には、第１面Ｆ１は主として光を取り出す面であるので、面状発光部１０から生じる光をより散乱させることができる。その場合、光散乱性が高くなるため、視野角依存性を低減することができ、見る角度によって色の変化の少ない発光をより得ることが可能になる。また、光散乱性によって光をより多く取り出すことができるため、光取り出し効率を向上することができる。
【０１２２】
面状発光部１０が光散乱可変部２０よりも第１面Ｆ１側に配置されている場合には、光散乱性が低くなるため、視野角に依存することなく、面状発光部１０からの発光の色の鮮明度を高めることができる。
【０１２３】
面状発光体１００においては、各部は独立して駆動可能なように構成されていることが好ましい。それにより、各部を独立して制御することができるため、光学特性を高めることができる。光散乱可変部２０と面状発光部１０と第１光学調整部７０ａと第２光学調整部７０ｂとは、独立して駆動可能なように構成されていることが好ましい。それにより、光学的性質の異なる状態を容易に作り出すことができるため、優れた光学特性を得ることができる。独立して駆動可能とは、各部への電力の供給を独立して行うことができることであってよい。各部への電力の供給は、各部において電極５が独立している場合はもちろん、ある部において電極５を他の部の電極５と共有する場合であっても、可能である。共有する電極５は、例えば、電圧のレベルを制御することにより、独立して駆動させることができる。
【０１２４】
面状発光体１００は、独立して個々の基板上に各部を積層工程によって形成した後、各部を貼り合わせる方法や、各部を一方の面側から順次に基板上に積層工程で形成していく方法など、適宜の方法で形成され得る。
【０１２５】
図８は、実施形態２の面状発光体１００の機能の一例を示している。図８は、図８Ａ〜図８Ｄから構成される。図８では、各部は模式的に図示されている。矢印は光の進行を示している。図８では、機能している部を斜線で示している。機能しているとは、光散乱可変部２０においては光散乱性が発揮されている状態であり、面状発光部１０においては発光している状態であり、第１光学調整部７０ａ及び第２光学調整部７０ｂにおいては光反射性が発揮されている状態である。各部が機能していない場合、その部は透明となり得る。なお、説明を単純化するため、光透過性や光散乱性や光反射性が中間の状態は示していないが、連続して変化するような中間状態があってもよい。図８Ａ〜図８Ｄは、各部の機能の状態が異なっており、面状発光体１００としてそれぞれ異なる状態となっている。
【０１２６】
図８に示すように、面状発光部１０、光散乱可変部２０、第１光学調整部７０ａ及び第２光学調整部７０ｂのうちの少なくとも一つが機能すると、面状発光体１００に外部から入った光がそのまま通りぬけにくくなるため、面状発光体１００は非透明になり得る。図８Ａのように、面状発光部１０のみが機能する場合、面状発光部１０の発する光により、第１面Ｆ１側から第２面Ｆ２側を視認しにくくなり、同様に第２面Ｆ２側から第１面Ｆ１側を視認しにくくなり、非透明となり得る。面状発光部１０が機能する場合に、すなわち、有機ＥＬ素子が光を生じる場合に、他の部が機能していると、有機ＥＬ素子の光が有効に利用される。例えば、図８Ｂでは、反射によって第１面Ｆ１側に向かう光が増加する。外部から第２面Ｆ２に入射しようとする光は第２面Ｆ２で反射される。図８Ｃのように第１光学調整部７０ａ及び第２光学調整部７０ｂの光反射性が発揮されている場合には、光が反射されるため、第１面Ｆ１と第２面Ｆ２との間において光がそのまま通りぬけできない。図８Ｄのように、光散乱可変部２０が機能し、第１光学調整部７０ａ及び第２光学調整部７０ｂの光反射性が発揮されている場合には、外部から第１面Ｆ１に入射した光は散乱し、反射されて例えば乳白色となる。外部から第２面Ｆ２に入射しようとする光は第２面Ｆ２で反射される。
【０１２７】
図９は、面状発光体１００の一例であり、照明装置に利用した例である。以下、光学調整部７０を第１光学調整部７０ａ及び第２光学調整部７０ｂに置き換えてもよい。
【０１２８】
面状発光体１００は、光散乱可変部２０と面状発光部１０と光学調整部７０とを外周で囲む枠体６０を備えることが好ましい。それにより、面状発光体１００の強度を高めることができる。また、面状発光体１００の側部を保護することができる。また、面状発光体１００の取り扱い性を高めることができる。
【０１２９】
枠体６０は給電部６１を有することが好ましい。それにより、面状発光体１００に電力を供給することができるため、上記の機能を有効に発揮することができる。給電部６１は、電極５と電気回路的に接続される。それにより、面状発光体１００に電力を供給することができる。給電部６１は、電気回路的にショートしないように電極５と接続されることが好ましい。例えば、面状発光部１０の電極５ａと電極５ｂとのそれぞれに対応する給電部６１が絶縁されて設けられる。光散乱可変部２０についても同様である。光学調整部７０についてはアクチュエータなどと給電部６１とが電気回路的に接続されている。給電部６１は、電極パッドや金属部材などで構成することが可能である。
【０１３０】
給電部６１は外部電源と接続されるように構成されていることが好ましい。それにより、容易に電力を供給することができる。もちろん、面状発光体１００は、枠体６０内に、電池などの内部電源を備えることが可能なものであってもよい。内部電源の使用により、外部電源を要することなく駆動することが可能である。
【０１３１】
給電部６１と電極５との電気回路的な接続は適宜の手法が用いられてよい。給電部６１と電極５とは接触式で電気接続されてもよいし、非接触式で電気接続されてもよい。給電部６１と電極５とは非接触式で給電可能なように構成されていることが好ましい。非接触式では給電の構造を形成するのが容易になる。非接触式の給電は、電気を受ける電極５の部分と給電部６１とが直接接触していなくても、これらが近くにあることにより、電気を通すことができる方式である。非接触方式では面状発光体１００を有する開閉可能な窓を容易に形成することができる。もちろん、接触式で給電してもよく、その場合、電気を容易に通すことができる。
【０１３２】
枠体６０は蓄電部６２を有することが好ましい。それにより、外部電源との接続が不用意に絶たれたり、停電などによって外部電源から電気が供給されなくなったりして、外部電源からの給電が停止した場合でも、蓄電部６２から給電を行うことができる。そのため、安定して駆動することが可能になる。蓄電部６２は、二次電池などの電池などにより構成され得る。例えば、リチウム電池などが利用されてよい。蓄電部６２は、給電部６１と電気回路的に接続されていることが好ましい。それにより、給電部６１に電気を供給することができる。蓄電部６２は、外部電源と電気回路的に接続されていてもよい。その場合、蓄電部６２を充電することができる。なお、外部電源と接続されない面状発光体１００では、蓄電部６２は内部電源となり得る。
【０１３３】
図９Ａは、一つの面状発光体１００の外周部に枠体６０が設けられた例である。枠体６０は給電部６１と蓄電部６２とを有する。面状発光体１００は、長方形、正方形などの形状であってよい。それにより、面状に配置することが容易になる。また、取り扱い性を高めることができる。もちろん、面状発光体１００の形状はこれに限定されるものではなく、多角形や円形であってもよい。
【０１３４】
図９Ｂ及び図９Ｃは、複数個の面状発光体１００が面状に配置された例である。面状発光体１００は複数個が面状に配置されたものであってもよい。これらの例では、面状発光体１００が４個用いられている。面状発光体１００の個数は、４個に限定されるものではなく、９個、１６個、２５個などであってもよい。面状発光体１００を面状に配置することにより、大面積の照明を得ることができる。面状発光体１００が面状に並べられたもの（照明装置）の形状は、長方形、正方形などの形状であってよい。
【０１３５】
図９Ｂでは、複数の面状発光体１００は、枠体６０を介さずに、面状発光体１００が接触して並べられている。それにより、枠体６０の影が形成されることが抑制され、光学特性を高めることができる。
【０１３６】
図９Ｃでは、複数の面状発光体１００は、それぞれの外周部が枠体６０に囲まれており、枠体６０を介して面状に並べられている。それにより、給電が容易になり、個々の面状発光体１００に、より均一に電気を供給することができる。また、枠体６０の部分を枠模様として使用することができ、意匠性を高めることができる。隣り合う面状発光体１００の間には枠体６０が配置されている。
【０１３７】
図９Ｂ及び図９Ｃでは、個々の面状発光体１００の状態が個別に制御されることが好ましい一態様である。この場合、面状発光体１００はセグメントで分けられ得る。面状発光体１００が個別に制御されると、所望の部分ごとに目的とする機能を持たせることができるため、光学特性を向上することができる。例えば、一部の部分を発光させて照明として用い、その他の部分を散乱させて曇りガラス状にするなどの制御を行うことができる。個別に制御を行うには、図９Ｃの方が有利である。
【０１３８】
図９Ａ〜図９Ｃの面状発光体１００は、照明装置として利用することができる。図９Ａ〜図９Ｃの面状発光体１００は、建材として利用することができる。図９Ａ〜図９Ｃの面状発光体１００は、窓として利用することができる。光学特性の異なる状態を作り出す窓は、アクティブウィンドウと定義され得る。
【０１３９】
面状発光体１００は、建材として利用することが好ましい一態様である。面状発光体１００により構成された建材では、光学特性に優れた建材を得ることができる。建材としては、窓がより好ましい。窓は、内窓、外窓のいずれにも利用可能である。また、窓として車載窓の利用も可能である。車載窓は、自動用、電車、機関車、列車などの車両用や、飛行機用、船用などの窓であってよい。また、建材としては、壁材、パーティション、サイネージなどに利用することもできる。サイネージはいわゆる照明広告であってよい。壁材は、外壁用であってもよいし、内壁用であってもよい。
【０１４０】
面状発光体１００は、表示装置であってもよい。表示装置はＴＦＴ（ThinFilm Transistor）などの表示構造を備えるものであってよい。表示構造は面状に形成され、面状発光体１００に厚み方向で重ねられるものであってよい。表示構造は、面状発光体１００の内部に組み込まれるものであってもよいし、面状発光体１００の表面に重ねられるものであってもよい。表示装置は、サイネージとして利用することが可能である。例えば、映像を映し出すサイネージを得ることができる。
【０１４１】
面状発光体１００は、断熱層、紫外線カット層、赤外線カット層のいずれか１つ以上を備えていてもよい。断熱層を備える場合、断熱効果を高めることができる。紫外線カット層を備える場合、紫外線の透過を抑制することができる。赤外線カット層を備える場合、遮熱効果を高めることができる。紫外線カット層では、例えば、屋外から屋内へ紫外線が通過するのを抑制できる。そのため、紫外線カット機能を有する窓などとして利用可能である。紫外線カット層は、面状発光部１０よりも第２面Ｆ２側に設けることが好ましく、光学調整部７０よりも第２面Ｆ２側に設けることがより好ましい。それにより、面状発光体１００の劣化を抑制することができる。紫外線カット層は、両面に設けられてもよい。面状発光体１００が屋外に配置される場合には、両面から紫外線を受けるおそれがあるが、そのような場合でも面状発光体１００の内部の劣化を抑制することができる。断熱層、紫外線カット層、赤外線カット層は透明であることが好ましい。それにより、面状発光体１００の光学特性を維持しながら、それぞれの機能を付与することができる。面状発光体１００は、断熱層、紫外線カット層、赤外線カット層の全てを備えていてもよい。
【０１４２】
図１０は、面状発光体１００を備えた窓の一例を示す概略斜視図である。図１０では、理解しやすいよう、隠れた部分を適宜図示し、手前側の部分を分解して層構成が分かるようにしている。この窓は建材となり得る。この窓は照明装置となり得る。窓は備え付けの窓であってもよいし、開閉可能な窓であってもよい。窓は、光散乱可変部２０と面状発光部１０と光学調整部７０とを有する面状発光体１００を備えている。そのため、上記で説明した機能を発揮することができ、光学特性に優れた窓を得ることができる。
【０１４３】
図１０の窓の例では、模様６３が面状発光体１００内に埋め込まれている。模様６３により意匠性を高めることができる。模様６３は繊維状の模様であってよい。もちろん、模様６３は図柄によって構成されていてもよい。模様６３が設けられる場合、模様６３は、導電材料により構成され、電極５に接していることが好ましい。それにより、電極５の通電性を補助することができ、意匠性を高めながら、電気効率を高めることができる。もちろん、面状発光体１００は模様６３を有していなくてもよい。
【０１４４】
図１０の窓は枠体６０を備えている。枠体６０はサッシとなり得る。枠体６０は給電部６１を有している。そのため、面状発光体１００に電気を供給することができる。枠体６０は蓄電部６２を有している。そのため、面状発光体１００の駆動を安定化させることができる。枠体６０は換気口６４を有していてもよい。それにより、換気を行うことができる。換気口６４は開閉自在に構成されていることが好ましい。換気口６４は、例えばルーバなどで構成することができる。
【符号の説明】
【０１４５】
１０    面状発光部
２０    光散乱可変部
７０    光学調整部
７０ａ  第１光学調整部
７０ｂ  第２光学調整部
７１ａ  第１ワイヤグリッド素子
７１ｂ  第２ワイヤグリッド素子
７１ｃ  第３ワイヤグリッド素子
７１ｄ  第４ワイヤグリッド素子
７２ａ  第１基材
７２ｂ  第２基材
７２ｃ  第３基材
７２ｄ  第４基材
７３ａ  第１線
７３ｂ  第２線
７３ｃ  第３線
７３ｄ  第４線
１００  面状発光体
Ｆ１    第１面
Ｆ２    第２面
【図１】
2017157268.tif 000003
【図２】
2017157268.tif 000004
【図３】
2017157268.tif 000005
【図４】
2017157268.tif 000006
【図５】
2017157268.tif 000007
【図６】
2017157268.tif 000008
【図７】
2017157268.tif 000009
【図８】
2017157268.tif 000010
【図９】
2017157268.tif 000011
【図１０】
2017157268.tif 000012